(57)【特許請求の範囲】
【請求項１】
種々の特性を持つ光学素子を複数の回転ディスク上に配置し、該回転ディスクを回転することにより前記光学素子を検査窓に選択的に切り替え配置して被検眼の屈折力等を自覚的に検査する検眼装置において、光学的な軸を持ち、前記回転ディスクの中の第１回転ディスクに保持部材により回転可能に保持される強度乱視レンズ及び第１回転ディスクより検者側に配置される第２回転ディスクに保持部材により回転可能に保持される弱度乱視レンズと、検者が検査窓内に視認可能なように、前記第２回転ディスクの開口部を介して視認可能な目印であって、前記第１回転ディスクの強度乱視レンズの保持部材又は強度乱視レンズ自体に、乱視レンズの軸方向に対応して施される軸角度確認用の目印と、前記検査窓の周辺に付与された軸角度確認用の目盛と、を具備したことを特徴とする検眼装置。
【発明の詳細な説明】
【０００１】
【産業上の利用分野】
本発明は被検眼の屈折力等を自覚的に測定する検眼装置に係り、さらに詳しく述べれば乱視レンズ等の軸角度の提示機構に関する。
【０００２】
【従来の技術】
多数のレンズ等の光学素子が配置された回転ディスクを持ち、該回転ディスクの回転により所望の特性の光学素子を被検眼前方の検査窓に切り換え配置して被検眼の屈折力等を自覚的に検査する検眼装置が知られている。
この種の検眼装置は一般にホロプタと呼ばれ、手動タイプのものとモ−タ駆動により光学素子を切り換える電動タイプのものがある。
ところで、上記の検眼装置に配置される光学素子の中には円柱レンズやクロスシリンダレンズのように軸を持つ光学素子があり、検査は光学素子の軸角度を所期する位置に設定して行われる。
【０００３】
従来の手動タイプのホロプタの乱視軸角度の提示機構は次の通りである。
図１は装置を検者側から見た外観図である。１は検査窓、２は１５度刻みに目盛が付された乱視軸目盛、３は乱視軸インディケ−タ４が付されたインディケ−タ回転部材、５は乱視軸変換ノブ、６は５度刻みの乱視軸目盛、７は乱視軸変換ノブ５に付された乱視軸インディケ−タである。検者は乱視軸変換ノブ５を回して、検査窓１に配置された乱視レンズを回転させその軸角度を変えると共に、乱視軸変換ノブ５を回すと、インディケ−タ回転部材３も回転させる。
【０００４】
乱視軸変換ノブ５による乱視レンズ及びインディケ−タ回転部材３の回転機構は図２に示される。検査窓１に配置された乱視レンズ８はホルダ９に固定装着されている。ホルダ９の外周にはギヤ部が形成されており、ギヤ１０と噛合している。さらにギヤ１０はギヤ１１に、ギヤ１１はギヤ１２に、ギヤ１２は乱視軸変換ノブ５のギヤ１３に噛合している。また、ギヤ１０にはホルダ９と回転中心を同じにするインディケ−タ回転部材３のギヤ部が噛み合っている。ホルダ９及びインディケ−タ回転部材３のギヤ部とギヤ１３は、そのギヤ比が１対１で回転角が等しくなるように設計配置されている。
【０００５】
このようにして、乱視軸インディケ−タ４と乱視軸目盛２とにより検査窓１に配置された乱視レンズの軸角度が検者に提示され、検者は乱視軸目盛６を注視しなくても乱視レンズの大まかな軸角度を確認しながら乱視測定をすることができる。
【０００６】
電動タイプの装置の場合、乱視軸角度は操作部の信号に基づいて操作パネル上等にＬＥＤ等で電気的に表示されるようになっている。
【０００７】
【発明が解決しようとする課題】
しかし、上記で示したような手動タイプの場合の軸角度提示機構は、構造が複雑で部品数が多く、組み立て作業に時間を取られるという欠点があった。
また、ギヤの噛み合わせ部分が多いことからバックラッシュ（ギヤの遊びの積み重ね）により、ノブの回転角と検眼窓の回りのインディケ−タの回転角がズレる可能性が高いといった問題があった。
【０００８】
後者の電動タイプの場合、検者は操作パネル上等の軸角度表示を見るしか軸角度を知るてだてがなく、例えば、レチノスコ−プにより検査窓を介して被検眼の他覚屈折測定を行う場合等は、測定しながら同時に軸角度を見ることができないという問題があった。
【０００９】
本発明は、上記のような従来装置の欠点に鑑み、構造が簡単で検眼窓に配置された光学素子の軸角度を容易にかつ確実に確認することのできる検眼装置を提供することを技術課題とする。
【００１０】
【課題を解決するための手段】
上記課題を解決するために、本発明は次のような構成をもつことを特徴とする。
【００１１】
（１）  種々の特性を持つ光学素子を複数の回転ディスク上に配置し、該回転ディスクを回転することにより前記光学素子を検査窓に選択的に切り替え配置して被検眼の屈折力等を自覚的に検査する検眼装置において、光学的な軸を持ち、前記回転ディスクの中の第１回転ディスクに保持部材により回転可能に保持される強度乱視レンズ及び第１回転ディスクより検者側に配置される第２回転ディスクに保持部材により回転可能に保持される弱度乱視レンズと、検者が検査窓内に視認可能なように、前記第２回転ディスクの開口部を介して視認可能な目印であって、前記第１回転ディスクの強度乱視レンズの保持部材又は強度乱視レンズ自体に、乱視レンズの軸方向に対応して施される軸角度確認用の目印と、前記検査窓の周辺に付与された軸角度確認用の目盛と、を具備したことを特徴とする。
【００１３】
【実施例】
以下、本発明を手動タイプのホロプタに適用した一実施例を図面に基づいて説明する。
図３は実施例の装置を検者側から見た正面外観図である。２０は検眼装置本体であり、検眼装置本体２０は左右対称の一対の左眼測定ユニット２１Ｌ、右眼測定ユニット２１Ｒを備えている。２２は両ユニット２１Ｌ，２１Ｒに設けられた検査窓であり、検査窓２２の回りには１５度間隔で付された目盛りを持つ乱視軸確認用の目盛板２３が取り付けられている。
【００１４】
測定ユニット２１の内部には球面レンズの他、補助レンズ、乱視レンズ等が配置された複数のレンズディスクが配置されている。これらのレンズは測定ユニットの全面に配置された球面レンズダイヤル２４、補助レンズノブ２５、乱視度変換ノブ２６を回すことにより所望の光学特性のレンズが検査窓２２に配置される。乱視レンズは乱視軸変換ノブ２７を回すことによりその軸角度が変えられる。２８は５度刻みの乱視軸目盛である。
【００１５】
図４は右眼測定ユニット２１の内部構造を説明するための要部断面図、図５は図４上のＡ矢視図の一部を示したものである。
３０は被検眼を、３１は検査窓２２を通過する測定軸をそれぞれ示す。３２は弱度乱視レンズディスクであり、３３は強度乱視レンズディスクである。弱度乱視レンズディスク３２の同一円周上には、レンズホルダ３４に装着された４種類（−０．２５〜−１．００Ｄの−０．２５Ｄステップ）の弱度乱視レンズ３６が回転可能に保持され、さらに開口３７も設けられている。同様に、強度乱視レンズディスク３３の同一円周上にもレンズホルダ３５を介して４種類（−１．２５〜−５．００Ｄの−１．２５Ｄステップ）の強度乱視レンズ３８と開口（図示せず）が設けられている。弱度乱視レンズディスク３２及び強度乱視レンズディスク３３は、それぞれの乱視レンズ及び開口の間に形成された溝３２ａ，３３ａを有した花びら形状を呈しており、軸３９を中心にして回転可能となっている。乱視レンズディスク３２，３３の回転は次のようにして成される。
【００１６】
４０は乱視度変換ノブ２６に同軸に取り付けられたギヤであり、ギヤ４０にはギヤ４１が噛合し、ギヤ４１には回転駆動板４２が取り付けられている。回転駆動板４２の同一円周上には弱度乱視レンズディスク３２の溝３２ａに係合する４つの短ピン４３ａと、乱視レンズディスク３２，３３の両方の溝３２ａ，３３ａに係合する１つの長ピン４３ｂが固着されている。これらの構成により乱視度変換ノブ２６を回すと、その回転は回転駆動板４２に伝達され、短ピン４３ａ及び長ピン４３ｂが弱度乱視レンズディスク３２の溝３２ａに順次係合することによりレンズディスクが回転する。また、長ピン４３ｂが一回転すると強度乱視レンズディスク３３は一段階だけ回転する。
【００１７】
このように乱視度変換ノブ２６を回転操作することにより弱度乱視レンズ３６及び強度乱視レンズ３８が検査窓２２に配置され、その組み合わせにより各種の乱視度数が作り出される。
【００１８】
また、乱視レンズは測定軸３１を中心に回転することにより、その軸角度が変えられる。軸角度を変えるためのレンズホルダ３４及び３５は、それぞれの外周に形成されたギヤ部の両者に噛合する太陽ギヤ５０、太陽ギヤ５０に同軸に取り付けられたギヤ５１、ギヤ５１に噛合する第１伝達ギヤ５２、第１伝達ギヤ５２に噛合する第２伝達ギヤ５３、第２伝達ギヤ５３に噛合するノブギヤ５４を介し乱視軸変換ノブ２７を回すことにより回転される。
【００１９】
各レンズホルダ３４及び３５の検者側には、装着された乱視レンズ３６及び３８の軸方向に一致させて目印５５が付してある。目印５５は凹凸や色入れ等で行うが、これは乱視レンズをレンズホルダの目印５５と軸方向を一致させて装着することにより容易に行うことができる。目印は検査窓２２内であって開口３７の径内に付すことにより、検者は検査窓２２からレンズホルダ３４の目印５５を見通すことができ、さらに弱度乱視レンズディスク３２上の開口３７が検査窓２２に配置された場合でもその裏側に配置されるレンズホルダ３５の目印５５を見通すことができる（図６参照）。
【００２０】
以上のような構成により、検者は所望の組み合わせの乱視レンズを検査窓２２に配置するとともに、その軸角度を乱視軸変換ノブ２７の回転操作により設定する。この際、検者は被検者を観察しながら測定ユニット２１上の目盛２３と、検査窓２２に配置されたレンズホルダ３４または３５上の目印５５との位置関係により乱視レンズの軸角度を知ることができる。
【００２１】
なお、以上の実施例では、軸角度確認用の目印５５をレンズホルダ３４及び３５に設けたが、乱視レンズ自体に直接付与するようにしても良い。
また、実施例では乱視レンズの軸角度確認についてのみ説明したが、本発明は乱視レンズに限らず、例えば、クロスシリンダ、偏光レンズ、あるいはプリズム等のような測定軸を中心に回転させる必要のある軸を有する光学素子を測定ユニット内に配置する場合に利用することができる。
【００２２】
また、実施例では手動タイプのホロプタを例にとって説明したが、モ−タ駆動にてレンズ等の光学素子を切り替える電動タイプの装置にも適用できることはいうまでもない。
【００２３】
【発明の効果】
以上説明したように、本発明によれば、簡単な構造でありながら、軸を有する光学素子の軸角度を容易にかつ確実に確認することができる。
【図面の簡単な説明】
【図１】従来の手動タイプのホロプタを検者側から見た外観図である。
【図２】従来装置の乱視軸提示機構を説明する図である。
【図３】実施例の装置の正面外観図である。
【図４】右眼測定ユニット２１の内部構造を説明するための要部断面図である。
【図５】図４上のＡ矢視図の一部を示した図である。
【図６】弱度乱視レンズディスク３２上の開口３７が検査窓２２に配置された場合でもその裏側に配置されるレンズホルダ３５の目印５５が見通せることを示す図である。
【符号の説明】
２２  検査窓
２３  目盛板２３
３２，３３  乱視レンズディスク
３４，３５  レンズホルダ
３６  弱度乱視レンズ
３８  強度乱視レンズ
５５  目印
【図１】
0003824666.tif 000002
【図２】
0003824666.tif 000003
【図３】
0003824666.tif 000004
【図６】
0003824666.tif 000005
【図４】
0003824666.tif 000006
【図５】
0003824666.tif 000007